(57)【要約】  本発明の一実施形態は、販売実績によってサービス商品を提供するショッピングモールシステムを具備するサービスプラットフォームにおいて、ショッピングモールシステム上での商品販売及び商品購入の関連プロセスを制御する商品販売制御部と、商品販売制御部によって、特定商品を販売するとき、当該商品の販売実績によって、所定ショッピングモールサービス商品の生成を制御するショッピングモールサービス商品生成制御部と、商品を購入した購入者を対象に、ショッピングモールサービス商品生成制御部によって生成されたショッピングモールサービス商品に係わる抽選を行い、それを分配するショッピングモールサービス商品抽選制御部と、を具備するショッピングモールシステムを具備するサービスプラットフォームを開示する。
2017502428.tif 000002
【特許請求の範囲】
【請求項１】
販売実績によってサービス商品を提供するショッピングモールシステムを具備するサービスプラットフォームにおいて、
前記ショッピングモールシステム上での商品販売及び商品購入の関連プロセスを制御する商品販売制御部と、
前記商品販売制御部によって、特定商品を販売するとき、当該商品の販売実績によって、所定ショッピングモールサービス商品の生成を制御するショッピングモールサービス商品生成制御部と、
前記商品を購入した購入者を対象に、前記ショッピングモールサービス商品生成制御部によって生成されたショッピングモールサービス商品に係わる抽選を行い、それを分配するショッピングモールサービス商品抽選制御部と、を具備するショッピングモールシステムを具備するサービスプラットフォーム。
【請求項２】
前記ショッピングモールサービス商品生成制御部は、
特定商品の販売時、当該商品に係わる累積販売数量と、ショッピングモールサービス商品発生必要数量とを比較し、ショッピングモールサービス商品を生成するショッピングモールサービス商品生成部と、
所定期間の間に生成されたショッピングモールサービス商品を時間帯別に分配するショッピングモールサービス商品分配部と、をさらに含むことを特徴とする請求項１に記載のサービスプラットフォーム。
【請求項３】
前記ショッピングモールサービス商品抽選制御部は、
各購入者別当選確率を演算する購入者別確率演算部を含み、
前記購入者別確率演算部は、各購入者の固定ＩＰ使用いかん、登録された位置情報場所での使用いかん、またはボーナス位置情報に端末登録されているか否かということを判断した後、商品広告の提供、及び特別な商品の購入または応募が可能であり、財貨流通のための電子認証書を有／無料、及び多様な割り引き恩典として提供することができ、
基本応募券保有いかん、固定ＩＰ使用いかん、登録された位置情報場所での使用いかん、及び強化応募券保有いかんのうち１以上のデータに基づいて、各購入者別当選確率を演算し、
前記ショッピングモールサービス商品抽選制御部は、
抽選のためのシードストリングを生成するシードストリング生成部と、
前記購入者別当選確率に該当する前記シードストリングを抽出し、それを利用して、当該購入者の当選いかんを判断する抽選実行部と、をさらに含み、
前記シードストリングは、全体が０で充填された第１ストリングと、全体が１で充填された第２ストリングとの任意の位置が交換されて生成されることを特徴とする請求項１に記載のサービスプラットフォーム。
【請求項４】
商品広報によって広報景品商品を提供する商品広報システムを具備するサービスプラットフォームにおいて、
製品の広報を所望する販売者の端末機から受信した広報商品を、前記商品広報システムに登録し、それを管理する広報商品管理部と、
広報を行う購入者の端末機から広報対象者を受信し、前記広報対象者に所定の広報メッセージを伝送する広報メッセージ管理部と、
広報を行う購入者が保有したポイントを管理し、前記広報メッセージの伝送時、所定のポイントを差し引くポイント管理部と、
前記購入者の広報商品景品に対する当選いかんを決定する広報商品景品抽選点数を管理する広報商品景品抽選点数管理部と、
前記広報商品景品抽選点数管理部で抽出した広報商品景品抽選点数を基に、前記購入者に対する当選いかんを決定する広報商品景品当たり制御部と、を含むサービスプラットフォーム。
【請求項５】
前記商品広報メッセージの伝達経路の長さ（項数）によって、前記購入者から差し引く差し引きポイント、及び前記広報商品景品抽選点数が差等化されるか、または同一であるか、あるいは乱数によって決定され、
前記差し引きポイントは、前記項数が増加するにつれ、既設定の初項値から一定間隔で減少し、
前記項数の最大値が既設定であることを特徴とする請求項４に記載のサービスプラットフォーム。
【請求項６】
前記広報商品景品抽選点数管理部は、
前記差し引きポイントのうち、前記広報商品景品抽選点数として使用されるポイントの累積値である順次ポイントと、
前記順次ポイントの逆順である逆順ポイントと、を演算し、
前記広報メッセージが購入者間に伝達されるたびに、前記伝達による差し引きポイント、順次ポイント、逆順ポイントが保存され、
前記項数が最大値に逹するまで、前記順次ポイント及び前記逆順ポイントは可変であり、
購入者端末機上で、前記広報メッセージに含まれた広告が視聴された後、前記逆順ポイントが前記広報商品景品抽選点数に合算されることを特徴とする請求項５に記載のサービスプラットフォーム。
【請求項７】
前記広報商品景品当たり制御部は、所定の期間の間それぞれの購入者が得た広報商品景品抽選点数の総和順に購入者に対する前記広報商品景品の当選いかんを決定し、
前記広報商品景品当たり制御部において、前記購入者に対する当選いかんを決定した後、前記広報商品景品抽選点数を基に、購入者に、所定の当選確率のクーポンを発給するクーポン発給制御部をさらに含み、
前記クーポン発給制御部は、全体購入者の前記広報商品景品抽選点数の分布が正規分布によると仮定し、個別購入者の当選確率が表記されたクーポンを発行し、その当選確率を演算することを特徴とする請求項４に記載のサービスプラットフォーム。
【請求項８】
販売実績によってサービス商品を提供するショッピングモールシステムを具備するサービス提供方法において、
商品販売制御部によって、前記ショッピングモールシステム上での商品販売及び商品購入が行われる段階と、
特定商品の販売時、ショッピングモールサービス商品生成制御部によって当該商品の販売実績によって、所定ショッピングモールサービス商品が生成される段階と、
ショッピングモールサービス商品抽選制御部によって、前記商品を購入した購入者を対象に、前記生成されたショッピングモールサービス商品に係わる抽選を行い、それを分配する段階と、を具備するショッピングモールシステムを具備するサービス提供方法。
【請求項９】
前記ショッピングモールサービス商品が生成される段階は、
特定商品の販売時、当該商品に係わる累積販売数量と、ショッピングモールサービス商品発生必要数量とを比較し、ショッピングモールサービス商品を生成する段階を含み、
前記ショッピングモールサービス商品が生成される段階は、
所定期間の間に生成されたショッピングモールサービス商品を時間帯別に分配する段階をさらに含むことを特徴とする請求項８に記載のサービス提供方法。
【請求項１０】
前記ショッピングモールサービス商品に係わる抽選を行う段階は、
各購入者の基本応募券保有いかん、固定ＩＰ使用いかん、登録された位置情報場所での使用いかん、ボーナス位置情報に端末登録されているか否かということ、及び強化応募券保有いかんのうち１以上のデータに基づいて各購入者別当選確率を演算し、
前記ショッピングモールサービス商品に係わる抽選を行う段階は、
抽選のためのシードストリングを生成する段階と、
前記購入者別当選確率に該当する前記シードストリングを抽出し、それを利用して当該購入者の当選いかんを判断する段階と、をさらに含み、
前記シードストリングは、全体が０で充填された第１ストリングと、全体が１で充填された第２ストリングとの任意の位置が交換されて生成されることを特徴とする請求項８に記載のサービス提供方法。
【請求項１１】
商品広報によって広報景品商品を提供する商品広報システムを具備するサービス提供方法において、
広報商品管理部によって、製品の広報を所望する販売者の端末機から受信した広報商品を、前記商品広報システムに登録し、それを管理する段階と、
広報メッセージ管理部によって、広報を行う購入者の端末機から広報対象者を受信し、前記広報対象者に所定の広報メッセージを伝送する段階と、
ポイント管理部によって、前記広報メッセージの伝送時、広報を行う購入者から所定のポイントを差し引く段階と、
広報商品景品抽選点数管理部によって、前記購入者の広報商品景品に対する当選いかんを決定する広報商品景品抽選点数を演算する段階と、
広報商品景品当たり制御部によって、前記演算された広報商品景品抽選点数を基に、前記購入者に対する当選いかんを決定する段階と、を含むサービス提供方法。
【請求項１２】
前記商品広報メッセージの伝達経路の長さ（項数）によって、前記購入者から差し引く差し引きポイント、及び前記広報商品景品抽選点数が差等化されるか、または同一であるか、あるいは乱数によって決定され、
前記差し引きポイントは、前記項数が増加するにつれ、既設定の初項値から一定間隔で減少し、
前記項数の最大値が既設定であることを特徴とする請求項１１に記載のサービス提供方法。
【請求項１３】
前記広報商品景品抽選点数を演算する段階は、
前記差し引きポイントのうち、前記広報商品景品抽選点数として使用されるポイントの累積値である順次ポイントと、
前記順次ポイントの逆順である逆順ポイントと、を演算し、
前記広報メッセージが購入者間に伝達されるたびに、前記伝達による差し引きポイント、順次ポイント、逆順ポイントが保存され、
前記項数が最大値に達するまで、前記順次ポイント及び前記逆順ポイントは、可変であり、
購入者端末機上で前記広報メッセージに含まれた広告が視聴された後、前記逆順ポイントが、前記広報商品景品抽選点数に合算されることを特徴とする請求項１２に記載のサービス提供方法。
【請求項１４】
前記購入者に対する当選いかんを決定する段階は、
所定の期間の間それぞれの購入者が得た広報商品景品抽選点数の総和順に購入者に対する前記広報商品景品の当選いかんを決定することを特徴とする請求項１１に記載のサービス提供方法。
【請求項１５】
前記購入者に対する当選いかんを決定する段階後、
前記広報商品景品抽選点数を基に、購入者に、所定の当選確率が表記されたクーポンを発給する段階をさらに含むことを特徴とする請求項１１に記載のサービス提供方法。
【請求項１６】
前記クーポンを発給する段階は、
全体購入者の前記広報商品景品抽選点数の分布が正規分布によると仮定し、個別購入者の当選確率を演算することを特徴とする請求項１５に記載のサービス提供方法。
【請求項１７】
商品広報によって広報景品商品を提供する商品広報システムを具備するサービスプラットフォームにおいて、
購入者の広報商品景品に対する当選いかんを決定する既設定の所定の広報商品景品抽選点数を管理する広報商品景品抽選点数管理部と、
前記広報商品景品抽選点数を基に、購入者に、所定の当選確率のクーポンを発給するクーポン発給制御部と、を含み、
前記クーポン発給制御部は、全体購入者の前記広報商品景品抽選点数の分布が正規分布によると仮定し、個別購入者の当選確率が表記された広告クーポンを発行し、その当選確率を演算することを特徴とするサービスプラットフォーム。
【請求項１８】
商品広報によって広報景品商品を提供する商品広報システムを具備するサービス提供方法において、
広報商品景品抽選点数管理部によって、購入者の広報商品景品に対する当選いかんを決定する既設定の所定の広報商品景品抽選点数を演算する段階と、
前記広報商品景品抽選点数を基に、購入者に、所定の当選確率が表記された広告クーポンを発給する段階と、を含み、
前記クーポンを発給する段階は、
全体購入者の前記広報商品景品抽選点数の分布が正規分布によると仮定し、個別購入者の当選確率を演算することを特徴とするサービス提供方法。
【発明の詳細な説明】
【技術分野】
【０００１】
本発明は、販売実績によってサービス商品を提供するショッピングモールシステムと、商品広報によって広報景品商品を提供する商品広報システムとを具備するサービスプラットフォーム及びサービス提供方法に関する。
【背景技術】
【０００２】
インターネット及び移動通信に代表される情報通信技術は、現代人の生活パターンを変えている。ほとんどすべての家庭、学校及び事務室に、インターネットが可能な個人用コンピュータが普及され、ウェブサイトを利用した情報習得、電子商取引を利用した商品購入、電子メールを介した消息の交換が行われている。わずか何年前には、移動通信端末機を使用して、音声通話を主とする移動通信サービスしか利用することができなかった。しかし、最近では、移動通信端末機にも、インターネットを利用したデータ通信サービスを提供される無線インターネットサービスが登場している。
【０００３】
一方、最近では、かような有無線インターネットサービスを利用したショッピングモールサービス及び商品広報サービスが脚光を浴びており、アマゾン（http://www.amazon.com/）、オークション（http://auction.co.kr）、Ｇマーケット（http://gmarket.co.kr）のようなサービスが代表的である。
【０００４】
前述の背景技術は、発明者が本発明の導出のために保有していたり、本発明の導出過程において習得したりした技術情報であり、必ずしも本発明の出願前に、一般公衆に公開された公知技術とすることはできない。
【発明の概要】
【発明が解決しようとする課題】
【０００５】
本発明が解決しようとする課題は、販売実績によってサービス商品を提供するショッピングモールシステムと、商品広報によって広報景品商品を提供する商品広報システムとを具備するサービスプラットフォーム及びサービス提供方法を提供することである。
【課題を解決するための手段】
【０００６】
本発明の一実施形態は、販売実績によってサービス商品を提供するショッピングモールシステムを具備するサービスプラットフォームにおいて、前記ショッピングモールシステム上での商品販売及び商品購入の関連プロセスを制御する商品販売制御部と、前記商品販売制御部によって、特定商品を販売するとき、当該商品の販売実績によって、所定ショッピングモールサービス商品の生成を制御するショッピングモールサービス商品生成制御部と、前記商品を購入した購入者を対象に、前記ショッピングモールサービス商品生成制御部によって生成されたショッピングモールサービス商品に対する抽選を行い、それを分配するショッピングモールサービス商品抽選制御部と、を具備するショッピングモールシステムを具備するサービスプラットフォームを開示する。
【０００７】
本発明の他の実施形態は、商品広報によって広報景品商品を提供する商品広報システムを具備するサービスプラットフォームにおいて、製品の広報を所望する販売者の端末機から受信した広報商品を、前記商品広報システムに登録し、それを管理する広報商品管理部と、広報を行う購入者の端末機から広報対象者を受信し、前記広報対象者に所定の広報メッセージを伝送する広報メッセージ管理部と、広報を行う購入者が保有したポイントを管理し、前記広報メッセージの伝送時、所定のポイントを差し引くポイント管理部と、前記購入者の広報商品景品に対する当たり（当選（winning））いかんを決定する広報商品景品抽選点数を管理する広報商品景品抽選点数管理部と、前記広報商品景品抽選点数管理部で抽出した広報商品景品抽選点数を基に、前記購入者に対する当選いかんを決定する広報商品景品当たり制御部と、を含むサービスプラットフォームを開示する。
【０００８】
本発明の他の実施形態は、販売実績によってサービス商品を提供するショッピングモールシステムを具備するサービス提供方法において、商品販売制御部によって、前記ショッピングモールシステム上での商品販売及び商品購入が行われる段階と、前記特定商品の販売時、ショッピングモールサービス商品生成制御部によって当該商品の販売実績によって、所定ショッピングモールサービス商品が生成される段階と、ショッピングモールサービス商品抽選制御部によって、前記商品を購入した購入者を対象に、前記生成されたショッピングモールサービス商品に対する抽選を行い、それを分配する段階と、を具備するショッピングモールシステムを具備するサービス提供方法を開示する。
【０００９】
本発明の他の実施形態は、商品広報によって広報景品商品を提供する商品広報システムを具備するサービス提供方法において、広報商品管理部によって、製品の広報を所望する販売者の端末機から受信した広報商品を、前記商品広報システムに登録し、それを管理する段階と、広報メッセージ管理部によって、広報を行う購入者の端末機から広報対象者を受信し、前記広報対象者に所定の広報メッセージを伝送する段階と、ポイント管理部によって、前記広報メッセージの伝送時、広報を行う購入者から所定のポイントを差し引く段階と、広報商品景品抽選点数管理部によって、前記購入者の広報商品景品に対する当選いかんを決定する広報商品景品抽選点数を演算する段階と、広報商品景品当たり制御部によって、前記演算された広報商品景品抽選点数を基に、前記購入者に対する当選いかんを決定する段階と、を含むサービス提供方法を開示する。
【発明の効果】
【００１０】
本発明によるサービスプラットフォーム及びサービス提供方法によって、購入者の知人またはサービス運用主体に商品を広報し、広報履歴による景品抽選点数を積み立ててサービス商品を勧めるシステムを提供することにより、販売者に低廉であって迅速な製品広報効果を提供し、ブランド認知度を高めることができるツールの必要性を充足させる効果を得ることができる。さらには、販売者側において提供するサービス商品を獲得することができるツールを提供し、購入者に手軽な製品アクセスを提供し、販売者には、広告利用コストを節減する効果を期待することができる。
【図面の簡単な説明】
【００１１】
【図１】本発明の一実施形態による、販売実績によってサービス商品を提供するショッピングモールシステムと、商品広報によって広報景品商品を提供する商品広報システムとを具備するサービスプラットフォームの構成を示した図面である。
【図２】図１のサービスプラットフォームのショッピングモールシステムの内部構成を示したブロック図である。
【図３】図２のサービスプラットフォームのショッピングモールシステムを利用したサービス提供方法を示すフローチャートである。
【図４】図２のサービスプラットフォームのショッピングモールシステムを利用したサービス提供方法を示すフローチャートである。
【図５】図２のサービスプラットフォームのショッピングモールシステムを利用したサービス提供方法を示すフローチャートである。
【図６】本発明の一実施形態によるシードストリングの生成過程の一例を示す図面である。
【図７】図１のサービスプラットフォームの商品広報システムの内部構成を示したブロック図である。
【図８】図２のサービスプラットフォームの商品広報システムを利用したサービス提供方法を示すフローチャートである。
【発明を実施するための形態】
【００１２】
本発明は多様な変換を加えることができ、さまざまな実施形態を有することができるが、特定実施形態を図面に例示し、詳細な説明によって詳細に説明する。本発明の効果、特徴、及びそれらを達成する方法は、図面と共に詳細に説明する実施形態を参照すれば、明確になるであろう。しかし、本発明は以下で開示される実施形態に限定されるものではなく、多様な形態によって具現されるのである。以下の実施形態において、第１、第２のような用語は、限定的な意味ではなく、１つの構成要素を他の構成要素と区別する目的に使用されている。また、単数の表現は、文脈上明白に異なって意味しない限り、複数の表現を含む。また、「含む」または「有する」というような用語は、明細書上に記載された特徴または構成要素が存在するということを意味するものであり、１以上の他の特徴または構成要素が付加される可能性をあらかじめ排除するものではない。また、図面においては、説明の便宜のために、構成要素が、その大きさが誇張されていたり縮小されていたりする。例えば、図面に示された各構成の大きさ及び厚みは、説明の便宜のために任意に示されおり、本発明は、必ずしも図示されているところに限定されるものではない。
【００１３】
以下、添付された図面を参照し、本発明の実施形態について詳細に説明するが、図面を参照して説明するとき、同一であるか、あるいは対応する構成要素は、同一図面符号を付し、それに係わる重複説明は省略する。
【００１４】
図１は、本発明の一実施形態による、販売実績によってサービス商品を提供するショッピングモールシステムと、商品広報によって広報景品商品を提供する商品広報システムとを具備するサービスプラットフォームの構成を示した図面である。
【００１５】
図１を参照すれば、本発明の一実施形態によるサービスプラットフォームは、複数個の購入者端末機３００及び販売者端末機４００、前記購入者端末機３００及び販売者端末機４００に、所定のショッピングサービスを提供するショッピングモールシステム１００、前記購入者端末機３００及び販売者端末機４００に、所定の広報サービスを提供する商品広報システム２００、並びに複数個の購入者端末機３００及び販売者端末機４００と、ショッピングモールシステム１００と、商品広報システム２００と、を連結する通信網５００を含む。
【００１６】
詳細には、既存ショッピングモール運用方式は、販売者間の競争による高い価格出血競争、及び高いサービス手数料によって運用され、また商品間の類似性による製品のブランド化が困難であるという問題点が存在した。かような問題点を解決するために、本発明の一実施形態による、販売実績によってサービス商品を提供するショッピングモールシステムと、商品広報によって広報景品商品を提供する商品広報システムとを具備するサービスプラットフォームは、販売者には、商品を知らせることができるツールを提供し、購入者には、多様な方式で商品を獲得する機会を提供し、商品を自ら広報して購入するように誘導することを一特徴とする。さらに、本発明の一実施形態は、ショッピングモールシステムにおいて、製品販売実績によってショッピングモールサービス商品を提供し、購入者の購入意欲をさらに鼓吹させることを一特徴とする。それについては、図２以下で詳細に説明する。
【００１７】
さらに図１を参照すれば、複数個の購入者端末機３００及び販売者端末機４００は、有無線通信環境でウェブサービスを利用することができる通信端末機を意味する。ここで、購入者端末機３００及び販売者端末機４００は、ユーザのパソコン３０１，４０１でもあり、またはユーザの携帯用端末機３０２，４０２でもある。図１では、携帯用端末機３０２，４０２がスマートフォンとして図示されているが、本発明の思想は、それに制限されるものではなく、前述のように、ウェブブラウジングが可能なアプリケーションを搭載した端末、または情報通信網に接続可能な情報通信機器は、制限なしに借用される。
【００１８】
一方、通信網５００は、複数個の購入者端末機３００及び販売者端末機４００と、ショッピングモールシステム１００と、商品広報システム２００と、を連結する役割を行う。すなわち、通信網５００は、購入者端末機３００及び販売者端末機４００がショッピングモールシステム１００及び／または商品広報システム２００に接続した後、パケットデータを送受信することができるように、接続経路を提供する通信網を意味する。
【００１９】
一方、ショッピングモールシステム１００は、販売者が販売を依頼した商品の取り引きが行われ、また販売成果によって、ショッピングモールサービス商品を発生させ、それを抽選を介して購入者に分配する一種の閉鎖的ショッピングモールシステムを意味する。ここで、ショッピングモールサービス商品とは、ショッピングモールシステム１００での商品販売実績によって販売者が購入者に追加して提供するサービス商品を意味し、かようなショッピングモールサービス商品が、抽選などを介して、購入者にサービスとして提供される。
【００２０】
一方、商品広報システム２００は、販売者が広報を依頼した商品を、購入者が自分の知人に広報し、それに対する適切な補償を得るためのシステムを意味する。ここで、広報景品商品とは、購入者の広報実績によって販売者が購入者に提供する景品を意味し、かような広報景品商品は、広報を行った購入者に、抽選などを介してサービスとして提供される。
【００２１】
一方、図面には図示されていないが、ショッピングモールシステム１００と、商品広報システム２００は、ショッピングモールサービス商品及び広報商品景品を管理する別途の商品管理データベースを互いに共有することもでき、または図２及び図７に図示されているように、それぞれ別途のデータベース（ＤＢ）を具備するが、該データベースが互いにクラスタリングされて連結されるように形成されてもよい。
【００２２】
以下では、それについてさらに詳細に説明する。
【００２３】
図２は、図１のサービスプラットフォームのショッピングモールシステムの内部構成を示したブロック図である。そして、図３、図４及び図５は、図２のサービスプラットフォームのショッピングモールシステムを利用したサービス提供方法を示すフローチャートである。
【００２４】
図２を参照すれば、本発明の一実施形態による、サービスプラットフォームのショッピングモールシステム１００は、インターフェース部１１０、商品販売制御部１２０、ショッピングモールサービス商品生成制御部１３０、ショッピングモールサービス商品抽選制御部１４０及びデータベース（ＤＢ）１６０を含む。そして、ショッピングモールサービス商品生成制御部１３０は、ショッピングモールサービス商品生成部１３１及びショッピングモールサービス商品分配部１３３を含みと、ショッピングモールサービス商品抽選制御部１４０は、購入者別確率演算部１４１、シードストリング（seed string）生成部１４３及び抽選実行部１４５を含んでもよい。それについてさらに詳細に説明すれば、次の通りである。
【００２５】
インターフェース部１１０は、通信網５００と連動し、ショッピングモールシステム１００と、購入者端末機３００及び販売者端末機４００との送受信信号をパケットデータ形態で提供するのに必要な通信インターフェースを提供する。
【００２６】
商品販売制御部１２０は、商品登録、商品検索、商品購入及び決済に至るショッピングモールシステム１００上での製品の販売及び購入と係わる一体のプロセスを管理して制御する。かような商品販売制御部１２０は、一般的なショッピングモールシステムの商品販売制御部と類似しているが、本明細書では、その詳細な説明は省略する。
【００２７】
ショッピングモールサービス商品生成制御部１３０は、ショッピングモールシステム１００内で、特定商品の販売実績によるショッピングモールサービス商品の生成プロセスを管理して制御する役割を行う。かようなショッピングモールサービス商品生成制御部１３０は、ショッピングモールサービス商品生成部１３１及びショッピングモールサービス商品分配部１３３を含む。
【００２８】
まず、ショッピングモールサービス商品生成部１３１は、特定商品の注文完了要請が受信され、注文完了レコードが生成されたとき、当該製品に対する累積販売数量に基づいて、ショッピングモールサービス商品を生成する役割を行う。それぞれの販売商品に係わるデータベースのテーブル構成である［表１−販売商品テーブル］、及び個別注文に係わるデータベースのテーブル構成である［表２−注文完了テーブル］は、次の通りである。
【００２９】
【表１】
2017502428.tif 000003
【００３０】
【表２】
2017502428.tif 000004
【００３１】
かようなショッピングモールサービス商品生成制御部１３０において、ショッピングモールサービス商品を生成する過程は、次の通りである。
【００３２】
図４を参照すれば、まず、ショッピングモールサービス商品生成部１３１は、特定商品の注文が完了要請が受信され、注文完了レコードが生成されれば、当該商品の販売商品テーブルから、ショッピングモールサービス商品発生必要数量及び販売中間累積数量を抽出する（Ｓ１２１段階）。次に、抽出した販売中間累積数量と、注文完了レコードに含まれた注文数量との合計を新たな販売中間累積数量にアップデートした後（Ｓ１２２段階）、販売中間累積数量が、ショッピングモールサービス商品発生必要数量以上であるか否かということを判断する（Ｓ１２３段階）。判断結果、販売中間累積数量がショッピングモールサービス商品発生必要数量以上である場合、新たなサービス商品を発生させ（Ｓ１２４段階）、サービス商品発生数量合計を増加させる（Ｓ１２５段階）。その後、販売中間累積数量は、ショッピングモールサービス商品発生必要数量から割り出された値を新たな販売中間累積数量にアップデートする（Ｓ１２６段階）。
【００３３】
例えば、製品を１００個販売するたびに、ショッピングモールサービス商品を一つずつ提供する場合、すなわち、ショッピングモールサービス商品発生必要数量が１００である場合を想定する。そして、現在販売中間累積数量が９５個であり、現在注文完了レコードに含まれた購入者の注文数量が３個であると仮定する。そのとき、注文完了レコードが生成されれば、まず、ショッピングモールサービス商品生成部１３１は、ショッピングモールサービス商品発生必要数量値である１００を抽出する。そして、ショッピングモールサービス商品生成部１３１は、販売中間累積数量である９５と、注文数量である３との和である９８を新たな販売中間累積数量にアップデートした後、新たな販売中間累積数量である９８が、ショッピングモールサービス商品発生必要数量である１００以上であるか否かということを判断する。このとき、新たな販売中間累積数量である９８は、ショッピングモールサービス商品発生必要数量である１００より小さいために、新たなショッピングモールサービス商品は発生せず、販売中間累積数量は、ショッピングモールサービス商品発生必要数量から割り出された値である９８を新たな販売中間累積数量にアップデートして段階を終わる。
【００３４】
一方、該状態において、購入者が追加して３個の製品を注文する場合、まず、ショッピングモールサービス商品生成部１３１は、ショッピングモールサービス商品発生必要数量値である１００を抽出する。そして、ショッピングモールサービス商品生成部１３１は、販売中間累積数量である９８と、注文数量である３との和である１０１を、新たな販売中間累積数量にアップデートした後、新たな販売中間累積数量である１０１が、ショッピングモールサービス商品発生必要数量である１００以上であるか否かということを判断する。このとき、新たな販売中間累積数量である１０１は、ショッピングモールサービス商品発生必要数量である１００より大きいために、新たなショッピングモールサービス商品が発生し、ショッピングモールサービス商品発生数量の合計も１ほど増加する。次に、販売中間累積数量（すなわち、１０１）に対して、ショッピングモールサービス商品発生必要数量（すなわち、１００）から割り出された値である１を新たな販売中間累積数量にアップデートし、サービス商品生成段階が終わる。
【００３５】
ショッピングモールサービス商品分配部１３３は、時間帯別にショッピングモールサービス商品を分配する役割を行うことができる。ここで、ショッピングモールサービス商品分配部１３３は、前日に累積されたショッピングモールサービス商品を、翌日のシステム初期化時間に分配することができる。かようなショッピングモールサービス商品分配に使用される［表３−時間区画テーブル］と［表４−ショッピングモールサービス商品割り振り（allocation）テーブル］は、次の通りである。
【００３６】
【表３】
2017502428.tif 000005
【００３７】
【表４】
2017502428.tif 000006
【００３８】
このとき、時間区画テーブルのショッピングモールサービス商品割り振り確率は、デフォルトとして、各時間帯別に同一に設定され、その後、時間帯別にショッピングモールサービス商品の割り振り確率が異なるように調整することができる。かようなショッピングモールサービス商品の時間帯別分配方法は、次の通りである。
【００３９】
まず、商品別ショッピングモールサービス商品数量を獲得した後、各時間区画別に、ショッピングモールサービス商品数量を求め、それを保存する。このとき、各時間区画別に、ショッピングモールサービス商品数量は、｛ショッピングモールサービス商品割り振り確率＊ショッピングモールサービス商品数量｝を介して求めることができる。そして、その状態で、ショッピングモールサービス商品割り振り確率が高い時間区画順に整列することができ、また、割り振りショッピングモールサービス商品数量カウンタを０に初期セッティングすることができる。
【００４０】
次に、時間区画別に、ショッピングモールサービス商品数量が０以上であるか否かということを判断し、時間区画別に、ショッピングモールサービス商品数量が０以上であるならば、ショッピングモールサービス商品割り振りテーブルにレコードを生成し、割り振りショッピングモールサービス商品数量カウンタに、時間区画別に、ショッピングモールサービス商品数量を加えて新たにそれを保存する。一方、時間区画別に、ショッピングモールサービス商品数量が０より小さければ、ショッピングモールサービス商品割り振りテーブルの割り振りショッピングモールサービス商品数を１にしてレコードを生成し、割り振りショッピングモールサービス商品数量カウンタを増加させる。
【００４１】
次に、時間区画の最後であるか、あるいは割り振りショッピングモールサービス商品数量カウンタが、商品別ショッピングモールサービス商品数量以上である場合、前記段階を終了し、もしそのとき、割り振りショッピングモールサービス商品数量が残る場合、高確率順に１個ずつ順に累積レコードをアップデートする。結果として、販売商品テーブルのショッピングモールサービス商品発生数量合計フィールドが０にアップデートされる。
【００４２】
一方、ショッピングモールサービス商品抽選制御部１４０は、所定時間になり、購入者を対象に、ショッピングモールサービス商品の抽選を行うにあたり、購入者別当たり（当選（winning））確率を演算し、それによって、購入者別に抽選のためのシードストリング（seed string）を付与した後、抽選を行う役割を行う。かようなショッピングモールサービス商品抽選制御部１４０は、購入者別確率演算部１４１、シードストリング生成部１４３及び抽選実行部１４５を含む。
【００４３】
購入者別確率演算部１４１は、各購入者別当たり（当選（winning））確率を演算する役割を行う。そのとき、購入者は、ショッピングモールシステム１００において、基本応募券（例えば、ショッピングカート）を購入してこそ、基本当選確率を受け、ショッピングモールサービス商品の抽選に参加することができる。そして、購入者が登録された固定ＩＰ（internet protocol）、または登録された位置情報場所で端末を使用する場合、特別に提供される商品に応募可能であり、多様な無料及び割り引きの応募券、追加確率がセッティングされて当選確率が高くなるというような特別な追加恩典を提供する。さらには、購入者が当選確率を高めるための強化応募券（例えば、ブースタ）を購入する場合、追加確率がセッティングされて当選確率が高くなる。
【００４４】
シードストリング生成部１４３は、抽選のためのシードストリングを生成する、一種の当選確率発生器の役割を行う。図６には、シードストリングの生成過程の一例が図示されている。図６を参照すれば、まず、ｎ長を有する２本のストリング、すなわち、ＡストリングとＢストリングとを具備する。そのとき、Ａストリングは、いずれも０で充填されており、Ｂストリングは、いずれも１で充填されている。次に、ＡストリングとＢストリングとの任意の位置を互いに交換したＡ’，Ｂ’ストリングを生成した後、生成されたＡ’ストリング内の１の個数により、シードストリングテーブル（表５）にレコードを生成する。そのとき、シードストリングテーブルの構成は、次の通りである。
【００４５】
【表５】
2017502428.tif 000007
【００４６】
すなわち、ｎが１００であり、生成されたＡ’ストリング内の１の個数が１７である場合、生成されたＡ’ストリングは、当選確率１７％に該当するシードストリングとして保存されるのである。
【００４７】
次に、生成されたＡ’ストリングとＢ’ストリングとを利用して、１の個数が１〜ｎ個になるまでストリング生成を反復して遂行する。そのとき、１の個数が重複すれば、生成されたストリングを捨て、反復してＡ’ストリングと、Ｂ’ストリングとを新規生成し、そのうち、Ａ’シードストリングをシードストリングテーブルにレコードとして挿入し、全体当選確率それぞれに該当するシードストリングを生成して保存するのである。
【００４８】
一方、かようなシードストリングテーブルは、周期的に自動削除された後で再生成され、確率フィールドに入る確率値は、１００／ｎの値がそれぞれ保存される。
【００４９】
抽選実行部１４５は、購入者別確率演算部１４１で演算した各購入者別当選確率、及びシードストリング生成部１４３で生成したシードストリングを利用して抽選を行い、購入者別当選いかんを決定する役割を行う。
【００５０】
かようなショッピングモールサービス商品抽選制御部１４０において、ショッピングモールサービス商品を抽選する過程は、次の通りである。
【００５１】
図５を参照すれば、まず、所定の抽選時間になれば、ショッピングモールサービス商品抽選制御部１４０のシードストリング生成部１４３においては、当選確率発生器の役割を行うシードストリングを生成する（Ｓ１３１段階）。ただし、かようなシードストリングは、所定の抽選時間になったとき、またはそれ以前にも生成され、あるいは周期的に自動生成されて保存された値を抽選に使用することもできるであろう。
【００５２】
次に、ショッピングモールサービス商品抽選制御部１４０の購入者別確率演算部１４１においては、各購入者別当選確率を抽出する（Ｓ１３２段階）。そのとき、購入者がショッピングモールサービス商品の抽選に参加するためには、基本的にショッピングカートを購入しなければならず、固定ＩＰ使用いかん、登録された位置情報場所、ブースタ購入いかんなどによって、追加確率を受けることもできる。一方、購入者別確率演算部１４１で演算された各購入者別当選確率は、購入者端末機３００上にもディスプレイされる。一方、図面には、ショッピングモールシステム１００内の購入者別確率演算部１４１において、購入者別当選確率が演算されるように図示されているが、各購入者端末機３００内にインストールされたアプリケーション上で当選確率が演算され、ショッピングモールシステム１００に伝送されることも可能であろう。
【００５３】
そのとき、各購入者端末機３００内にインストールされたアプリケーションが、購入者別確率演算部１４１と、通信を介して固定ＩＰ使用いかん、登録された位置情報場所、基本応募券購入いかん、強化応募券使用いかんをチェックし、暗号化処理された情報によって、購入者端末機で当選確率が演算され、購入者端末機３００に確率が表示される。
【００５４】
次に、ショッピングモールサービス商品抽選制御部１４０の抽選実行部１４５においては、各購入者別に抽選を行う。それについてさらに詳細に説明すれば、次の通りである。まず、抽選実行部１４５は、当該購入者の当選確率と同一シードストリングテーブルからシードストリングを獲得する（Ｓ１３４段階）。例えば、Ａという購入者について、購入者別確率演算部１４１で演算した当選確率が７０％である場合、抽選実行部１４５は、シードストリングテーブルから、確率が７０％であるシードストリングを抽出するのである。次に、抽選実行部１４５は、乱数発生器を利用して、所定の乱数を発生させた後（Ｓ１３５段階）、獲得したシードストリング内で生成された乱数に該当する位置の文字を抽出し（Ｓ１３６段階）、抽出された文字が「１」であるか否かということを判断する（Ｓ１３７段階）。判断結果、抽出された文字が「１」である場合、当たったものであると判断し（Ｓ１３８段階）、判断結果、抽出された文字が「０」である場合には、外れたものであると判断する。
【００５５】
一方、当たった場合、ショッピングモールサービス商品割り振りテーブルの割り振りショッピングモールサービス商品数を確認し、割り振りショッピングモールサービス商品数が０であるならば、さらに外れたものであると判断され、割り振りショッピングモールサービス商品数が１以上であるならば、最終的に当たったものであると判断され、割り振りショッピングモールサービス商品数は、１が減らされる。
【００５６】
シードストリングテーブルにおいて、確率が７０％であるシードストリングの一例は、次の通りである。
【００５７】
【表６】
2017502428.tif 000008
【００５８】
そして、乱数発生器で発生した乱数が７である場合、シードストリング内で生成された乱数である７に該当する位置の文字が１であるので、当該購入者は、ショッピングモールサービス商品に当たったことになる。
【００５９】
一方、図面には図示されていないが、購入者別確率演算部１４１においては、各購入者別当選確率を演算する以前に、まず、サービス例外条件であるか否かということを判断することもできる。すなわち、参加者未達またはシステム例外状況など、サービス運用上確率に無関係に抽選失敗である場合、前記過程を省略して外れたものであると判断し、抽選過程が終わるか、あるいは一定時間遅延されもする。
【００６０】
以下では、本発明の一実施形態による、サービスプラットフォームの商品広報システム２００について、さらに詳細に説明する。
【００６１】
図７は、図１のサービスプラットフォームの商品広報システムの内部構成を示したブロック図である。そして、図８は、図７のサービスプラットフォームの商品広報システムを利用したサービス提供方法を示すフローチャートである。
【００６２】
図７を参照すれば、本発明の一実施形態による、サービスプラットフォームの商品広報システム２００は、インターフェース部２１０、広報商品管理部２２０、広報メッセージ管理部２３０、ポイント管理部２４０、広報商品景品抽選点数管理部２５０、広報商品景品当たり制御部２６０、クーポン発給制御部２７０及びデータベース（ＤＢ）２８０を含む。
【００６３】
本発明の一実施形態による、サービスプラットフォームの商品広報システム２００は、広報を行う購入者に、財貨と置き換えられる有／無形の電子取り引き単位（例えば、ポイント）を差し引く代わりに、広報商品景品抽選点数を付与し、一定期間の間に購入者が得た広報商品景品抽選点数順に、購入者に広報商品景品を提供する。また、差し引いたポイントのうち一定部分は、購入者に所定確率のクーポンで戻すか、あるいは差し引いたポイントのうち一定部分を再分配形態で購入者に戻すこともできる。
【００６４】
詳細には、インターフェース部２１０は、通信網５００と連動して、商品広報システム２００と、購入者端末機３００及び販売者端末機４００との送受信信号をパケットデータ形態で提供するのに必要な通信インターフェースを提供する。
【００６５】
広報商品管理部２２０は、製品の広報を所望する販売者が、商品広報システム２００上に広報商品を登録し、また広報を行って所定の景品を得ようとする購入者が、商品広報システム２００上に登録された広報商品を検索するようにする役割を行う。ここで、広報商品とは、販売者が広報を所望する製品であり、販売者は、商品広報システム２００上に、自分が広報したい製品を登録するのである。
【００６６】
広報メッセージ管理部２３０は、広報を行う購入者が、自分の知人のうち広報メッセージを伝送する広報対象者を選択し、選択された広報対象者に広報メッセージを伝送するようにする役割を行うことができる。
【００６７】
ポイント管理部２４０は、広報を行う購入者のポイントを管理する役割を行う。詳細には、ここでポイントとは、商品広報システム２００上で商品を広報するために購入者が保有しなければならないポイントであり、自分の知人に商品広報メッセージを伝送する場合、保有したポイントのうち所定のポイントが差し引かれ、また、広報効果によって購入者に追加して支給されるポイントを意味する。
【００６８】
ここで、本発明の一実施形態による商品広報システムにおいては、商品広報メッセージの伝達経路の長さによって購入者から差し引くポイント、及び購入者が景品に当たる確率を決定する景品抽選点数が差等化、等間隔または乱数によって決定されることを一特徴とする。それについては、追ってさらに詳細に説明する。
【００６９】
広報商品景品抽選点数管理部２５０は、購入者が広報商品景品に当たるか否かということを決定する広報商品景品抽選点数を管理する役割を行う。かような広報商品景品抽選点数は、前述のポイントを基に付与され、広報商品景品抽選点数演算については、追ってさらに詳細に説明する。
【００７０】
広報商品景品当たり制御部２６０は、前記広報商品景品抽選点数管理部２５０で抽出した広報商品景品抽選点数を基に当選いかんを決定する役割を行う。
【００７１】
クーポン発給制御部２７０は、広報商品景品当たり制御部２６０において、購入者に対する当選いかんを決定した後、広報商品景品抽選点数を基に、購入者に所定の当選確率のクーポンを発給する役割を行う。そのとき、クーポン発給制御部２７０は、全体購入者の広報商品景品抽選点数の分布が正規分布によると仮定し、個別購入者の当選確率を演算することができる。
【００７２】
以下では、かような商品広報システム２００において商品を広報し、それによって広報を実施した購入者を対象に広報商品景品を、抽選を介して提供する過程について説明する。まず、商品広報システム２００で使用される各種データベースのテーブルの一例について説明する。
【００７３】
それぞれの広報商品に係わる資料テーブル、及びテーブルに保存されたレコードの例示は、表７の通りである。
【００７４】
【表７】
2017502428.tif 000009
【００７５】
ここで、商品番号は、新規広報商品に係わるデータレコード挿入時に自動的に生成され、残りの項目は、管理者によって入力される。そして、広報商品入力時、初項、公差によるポイント資料データが、後述するポイント資料テーブルに存在するか否かということをチェックし、初項、公差によるポイント資料データが、ポイント資料テーブルに存在しない場合、所定の算式（後述する数式１〜３）によって、ポイント資料テーブルにレコードを挿入する。
【００７６】
例えば、広報商品資料テーブルに、５番目の広報商品を挿入するとき、商品番号５番であるレコードが生成され、また、そのときに入力した初項及び公差である５０、−１０に該当するポイント資料データをポイント資料テーブルに挿入する（ポイント資料テーブルに挿入されたデータの例示については、後述する）。また、広報商品資料テーブルに、６，７番目の広報商品を挿入するとき、商品番号６，７番のレコードが生成され、また、そのときに入力した初項及び公差である５０、−１０に該当するポイント資料データがポイント資料テーブルにすでに存在するために、ポイント資料テーブルには、別途のレコードを生成しない。
【００７７】
一方、そのように新規広報商品に係わるデータレコードを挿入するとき、最大項入力がない場合、ポイント資料テーブルを参照し、最大項（ｎ）が自動的に計算されて挿入され、一方、最大項入力がある場合には、入力値をそのまま保存することができる。例えば、最大項入力がない場合、初項から公差を続けて差し引いて正数となるまでの値を最大項として保存することができる。一方、最大項入力がある場合、入力された値をそのまま最大項（ｎ）として保存することができる。
【００７８】
次に、ポイント資料テーブル、及び当該テーブルに保存されたレコードの例示は、次の通りである。ここで、ポイント資料テーブルは、商品広報システムに提供する初項別、公差別にポイントをあらかじめ生成して保存しておくテーブルであり、下記初項５０、公差−１０であるときのレコードが表８に例示されている。
【００７９】
【表８】
2017502428.tif 000010
【００８０】
かようなポイント資料テーブルは、商品広報システム２００において、ツールを利用して自動的に生成し、または前述のように、広報商品資料テーブルにレコードを生成するとき、自動的に生成される。また、ポイント資料テーブルは、前述の広報商品資料テーブルに保存された最大項値に係わりなく、差し引きポイントが０より大きい限度内で、続けて生成される。かようなポイント資料テーブルには、項数に対応する差し引きポイント、順次ポイント及び逆順ポイントが保存される。
【００８１】
ここで、差し引きポイント（ａｎ）、順次ポイント（ｂｎ）及び逆順ポイント（ｃｎ）は、下記数式１，２及び３によって求めることができる（差し引きポイントは、広報のために購入者のアカウントで差し引かれるポイントであり、順次ポイントは、広報メッセージが伝達されていくことにより、各購入者から差し引くポイントのうち広報商品景品抽選点数として使用されるポイントの累積値である。そして、逆順ポイントは、順次ポイントの逆順に、広報商品景品抽選点数として使用されるポイントであり、２つの値いずれも広報メッセージ伝達経路が短いほど大きい値を有する）。
【００８２】
【数１】
2017502428.tif 000011
【００８３】
【数２】
2017502428.tif 000012
【００８４】
【数３】
2017502428.tif 000013
【００８５】
ａが５０であり、ｄが−１０であり、ｎの最大値が５であり、ｄｉｖが２であるとき、前記数式１，２及び３によって演算した各購入者の差し引きポイント、順次ポイント及び逆順ポイントが、前述の［ポイント資料テーブル］に例示されている。
【００８６】
前述のところでは、本発明の一実施形態として、商品広報メッセージの伝達経路の長さによって、購入者から差し引くポイント、及び購入者が景品に当たる確率を決定する景品抽選点数が差等化されるように、差し引きポイントが等差数列によって減少する場合を例として挙げた。しかし、本発明の思想は、それに制限されるものではなく、差し引きポイントが、等比数列によっても減少する。または、商品広報メッセージの伝達経路の長さによって、購入者から差し引くポイント、及び購入者が景品に当たる確率を決定する景品抽選点数が同一であるように、差し引きポイントが一定でもある。または、公差または公比と共に、差し引きポイントを決定するパラメータを乱数発生によって決定し、景品抽選点数の配分がランダムになされるようにすることも可能である。さらに、差し引きポイントを決定するパラメータを乱数発生によって決定する場合、補間多項式を活用して近似関数を算出し、それをＹ軸対称移動し、逆順ポイントを近似化することも可能である。
【００８７】
次に、広報メッセージ経路テーブル、及び当該テーブルに保存されたレコードの例示は、次の表９の通りである。ここで、広報メッセージ経路テーブルは、広報メッセージの送受信ユーザの伝送経路及び広報商品景品抽選点数などが保存される。
【００８８】
【表９】
2017502428.tif 000014
【００８９】
詳細には、購入者が最初に広報メッセージを送信する場合、当該メッセージに係わる固有ＩＤ（すなわち、広報固有番号）が発生する。そして、いずれか１人のユーザから他のユーザに広報メッセージが伝送されるたびに、広報メッセージ経路テーブルに、新たなデータレコードが生成され、そのときごとに、広報商品景品抽選点数が変更されてアップデートされる。
【００９０】
ここで、項数とは、広報メッセージが何人を経て伝達されたということを示す値であり、最初に広報メッセージを送信したユーザ（Ｄｋｊａｎｇ）の項数は１であり、最初の送信者から広報メッセージを受信して送信したユーザ（Ｊｎｋｉｍ）の項数は、２になる。一方、終了いかんとは、広報メッセージが、最大項まで伝達が完了しているか否かということを示す値であり、例えば、［広報商品資料テーブル］の最大項が５に設定されている場合（すなわち、最大５人まで広報メッセージを伝達することができる場合）、５人に広報メッセージを伝達したならば、終了いかんの値は「Ｙ」になって、まだ５人に広報メッセージを伝達していないのであれば、終了いかんの値は「Ｎ」になる。
【００９１】
例えば、広報固有番号６７番の場合、広報メッセージは、Ｄｋｊａｎｇ→Ｊｎｋｉｍ→ｘｘｘ→Ｙｙｙ→ｚｚｚの順に伝達され、最大項である５人に伝達が完了したので、終了いかんの値は「Ｙ」になり、広報商品景品抽選点数は、［ポイント資料テーブル］に保存された値と同一値が各ユーザに対して保存される。
【００９２】
一方、広報固有番号６８番の場合、広報メッセージは、ｘｘｘ→Ｄｋｊａｎｇの順に伝達され２人まで伝達され、まだ最大項である５人にまで伝達が完了していないので、終了いかんの値は「Ｎ」になる。その場合、広報メッセージが伝達されることにより、広報商品景品抽選点数が続けて変更されるので、現在、広報商品景品抽選点数に保存された値は、［ポイント資料テーブル］に保存された値と同一ではない。
【００９３】
次に、広報商品別ユーザ広報商品景品抽選点数テーブル、及び当該テーブルに保存されたレコードの例示は、次の表１０の通りである。ここで、広報商品別ユーザ広報商品景品抽選点数テーブルは、各ユーザ別広報商品景品抽選点数（すなわち、合算ポイント、未合算ポイント、待機ポイント）などが保存される。
【００９４】
【表１０】
2017502428.tif 000015
【００９５】
ここで、広告視聴いかんは、当該購入者が伝達された広報メッセージに含まれた広告を視聴したか否かということを意味する。本発明の実施形態による商品広報システムにおいては、広報メッセージに含まれた広告を視聴してこそ、所定の広報目的が達成されるために、広告を視聴するまでは（すなわち、広告視聴いかんの値が「Ｎ」である当該購入者に対するポイントは、未合算ポイントであり、広報商品景品抽選点数に算入されない。
【００９６】
一方、広告視聴を完了すれば、広告視聴いかんの値が「Ｙ」になる。そのように、広告視聴いかんの値が「Ｙ」になってこそ当該購入者に対するポイントが、広報商品景品抽選点数に算入され、そのとき、広報商品景品抽選点数は、合算ポイントまたは待機ポイントに保存される。ここで、合算ポイントは、最大項まで伝達が完了し、［広報メッセージ経路テーブル］の終了いかんの値が「Ｙ」に保存された値であり、それ以上変更されない値である。一方、待機ポイントは、最大項まで伝達が完了する以前であるので、［広報メッセージ経路テーブル］の終了いかんの値が「Ｎ」である値であり、広報メッセージの伝達によって変更される可能性が存在する値である。要約すれば、合算ポイントは、広告視聴後、精算が完了したポイントを意味し、未合算ポイントは、広告未視聴であって未合算のポイントを意味し、待機ポイントは、続けて広告可能な未合算のポイントを意味する。最終ポイントの演算時、合算ポイントと待機ポイントは、総計される。
【００９７】
次に、ポイント合算テーブル（表１１−広報商品別ユーザ広報商品景品抽選点数テーブル）、及び当該テーブルに保存されたレコードの例示は、表１１の通りであり、景品及びポイント再分配商品補償テーブル（表１２）、並びに当該テーブルに保存されたレコードの例示は、表１２の通りである。ここで、ポイント合算テーブルには、各購入者別当該抽選日の広報商品景品抽選点数総和、景品支給商品番号、ポイント再分配のための確率、ポイント再分配による抽選結果などが保存される。一方、景品及びポイント再分配商品補償テーブルには、各抽選日別に支給される補償商品番号、商品属性、支給等級、数量などが保存される。
【００９８】
ここで、景品及びポイント再分配商品補償テーブルの商品属性値としては、次の値が入る。
【００９９】
１：広報景品商品、２：ポイント再分配、３：期待値、４：発給コスト
【０１００】
また、商品属性値によって、数量値は、次の値を有することができる。商品属性値が１である場合、数量値は、支給される補償商品の個数を示し、商品属性値が２である場合、数量値は、再分配されるポイントを示し、商品属性値が３である場合、数量値は、期待値を示し、商品属性値が４である場合、数量値は、発給コストを示す。
【０１０１】
【表１１】
2017502428.tif 000016
【０１０２】
【表１２】
2017502428.tif 000017
【０１０３】
詳細には、本発明の一実施形態による、サービスプラットフォームの商品広報システム２００は、広報を行う購入者に所定のポイントを差し引く代わりに、広報商品景品抽選点数を付与し、一定期間の間、購入者が得た広報商品景品抽選点数順に、購入者に広報商品景品を提供する。また、差し引いたポイントのうち一定部分は、購入者に、所定確率のクーポンでもって戻すか、あるいは差し引いたポイントのうち一定部分を再分配形態で購入者に一括的に戻すこともできる。
【０１０４】
まず、一定期間の間、購入者が得た広報商品景品抽選点数順に、購入者に広報商品景品を提供するために、特定時間になれば、購入者別に、当該期間の広報商品景品抽選点数総和を求める。例えば、一日単位で、広報商品景品の支給が行われると仮定すれば、２０１３年１２月２６日の一日の間、各購入者が得た広報商品景品抽選点数総和を求める。例えば購入者Ｄｋｊａｎｇの場合、［広報商品別ユーザ広報商品景品抽選点数テーブル］において、５番商品の合算ポイント７５、５番商品の待機ポイント２５、７番商品の合算ポイント７５、７番商品の待機ポイント６０の総和である２３５点が、２０１３年１２月２６日一日の間に得た広報商品景品抽選点数総和になる（ここで、抽選時点まで広告を視聴していない未合算ポイントは、広報商品景品抽選点数に算入されない）。同様に、購入者ＺＺＺが、２０１３年１２月２６日一日の間に得た広報商品景品抽選点数の総和は、１２０点になる。
【０１０５】
かような方法で、全ての購入者に対する広報商品景品抽選点数の総和を求めた後、最高の広報商品景品抽選点数を得た購入者であるＤｋｊａｎｇに、補償商品である広報商品景品が支給される。そのとき、［景品及びポイント再分配商品補償テーブル］の商品属性値が１であるレコードを参照すれば、支給等級値が１であり、数量値が１であるので、広報商品景品抽選点数が１位であるユーザ１人に広報商品景品番号２番の商品が支給される。
【０１０６】
一方、購入者が得た広報商品景品抽選点数順に、購入者に広報商品景品を提供した後には、差し引いたポイントのうち一定部分を、購入者に所定当選確率のクーポンとして戻す。そのように、購入者に所定当選確率のクーポンを発給するための過程は、次の通りである。
【０１０７】
まず、［景品及びポイント再分配商品補償テーブル］の商品属性値が３及び４であるレコードを参照し、期待値及び発給コストを抽出する。そして、抽出した期待値及び発給コストを利用して、各購入者別に、ポイント再分配のための確率を求め、その確率に該当するクーポンを発給して抽選し、当たれば、その期待値に該当するポイントを付与する。そのとき、演算された各購入者別ポイント再分配のための確率、及びそれによる抽選結果は、［ポイント合算テーブル］に保存される。それについてさらに詳細に説明すれば、次の通りである。
【０１０８】
当日広報に参加した購入者がｎ人であり、前記抽出した期待値がｐウォンであり、全て預金がＴｐウォン（これは、逆算ポイントの総和であり）であり、前記抽出した発給コスト（事業コストまたは運用コスト）がｃウォンであるとすれば、最大当選確率は、次の数式によって求めることができる。
【０１０９】
【数４】
2017502428.tif 000018
【０１１０】
例えば、当日購入者が４人であり、当たり期待値が２００であり、全預金が４００ウォンであり、事業コストが０ウォンである場合、
最大当選確率＜（４００−０）／（２００＊４）
であり、最大当選確率は、５０％になる。
【０１１１】
次に、そのように求めた最大当選確率を基に、応募者別当選確率を計算する方法について説明する。これは、ポイント資料テーブルの逆順ポイントを、購入者別に合算した値が正規分布によると仮定し、ポイント資料テーブルの逆順ポイントを購入者別に合算した後、平均及び標準偏差を求め、下記数式を利用して、当該景品抽選点数に係わる確率を求める。
【０１１２】
【数５】
2017502428.tif 000019
【０１１３】
そのとき、求めた確率は、１００％基準確率であるので、比例式を利用して、最大当選確率に係わる比率の値に変更した値を最終値にする。
【０１１４】
【数６】
2017502428.tif 000020
【０１１５】
例えば、購入者の広報商品景品抽選点数の平均が７０であり、標準偏差が１２であるとき、広報点数が５０点である購入者の当選確率は、ｆ（５０）＝４．８％であるので、最大当選確率が５０％である場合、当該購入者の当選確率は４．８＊５０％＝２．４％になる。その場合、当該購入者には、当選確率２．４％クーポンが発給され、そのクーポンが当たりクーポンである場合、期待値である２００が支給される。
【０１１６】
ここで、次数が低い購入者、すなわち、最初に広報を始めた購入者に近いほど、恩典を付与し、可能な限り迅速に広報メッセージの伝達が行われる動機を付与するために、次数別加重値を付与することができる。例えば、（加重値＝１＋１／次数）の値を付与し、次数が低い購入者に、さらに高い景品抽選点数を付与するように加重値を付与することができる。そのように加重値が付与された景品抽選点数は、臨時に保存されて計算に使用される。
【０１１７】
以下では、かような商品広報システム２００において商品を広報し、それによって広報を行った購入者を対象に、広報商品景品を、抽選を介して提供する過程について説明する。
【０１１８】
図８を参照すれば、まず、特定製品に対する広報を行い、所定の景品を得ようとする購入者は、商品広報システム２００上に接続し、登録された広報商品を検索し（Ｓ２１０段階）、そのうち、本人が広報しようとする製品を選択する（Ｓ２２０段階）。次に、購入者は、自分の知人のうち広報メッセージを伝送する広報対象者を選択し、選択された広報対象者に、広報メッセージを伝送する（Ｓ２３０段階）。そのとき、購入者は、スマートフォンに保存された友達リスト、またはウェブ上やアプリ上に保存されている友達リストから、広報メッセージを伝送する広報対象者を選択することができる。そのように、広報対象者を選択し、広報メッセージを伝送する過程において、広報商品資料テーブルなどから、商品番号、初項、公差、最大項、現在項数（ｎ）の情報を抽出しておくことができる。
【０１１９】
次に、広報メッセージ伝送によって差し引かれるポイントが計算され、当該ポイントが差し引かれる（Ｓ２４０段階）。それについてさらに詳細に説明すれば、次の通りである。
【０１２０】
まず、ポイント資料テーブルから、初項、公差、現在ｎを利用して、差し引きポイント、順次ポイント、逆順ポイントを獲得する。そのように、ポイント資料テーブルに、差し引きポイント、順次ポイント、逆順ポイントが保存された例は、前述の通りである。次に、広報メッセージ経路テーブルに、送受信ユーザ情報、及び現在項数（ｎ）を含むデータレコードを挿入する。そのとき、広報商品景品抽選点数が、変更された値にアップデートされる。次に、送信者、受信者の情報を利用して、広報商品別ユーザ広報商品景品抽選点数テーブルに、各ユーザに対する広報商品景品抽選点数を挿入する。最後に、抽出された差し引きポイント値ほど各ユーザのポイントを差し引く。
【０１２１】
次に、抽選時間になれば、各購入者別広報商品景品抽選点数を計算する（Ｓ２５０段階）。すなわち、一定期間の間、購入者が得た広報商品景品抽選点数順に、購入者に広報商品景品を提供するために、特定時間になれば、購入者別に、当該期間の広報商品景品抽選点数の総和を求める。そのとき、広報商品景品抽選点数の総和は、当該購入者の合算ポイントと待機ポイントとの総和になる。そして、そのように求めた広報商品景品抽選点数の総和を利用して、補償商品を分配する（Ｓ２６０段階）。例えば、２０１３年１２月２６日一日の間、各購入者が得た広報商品景品抽選点数の総和を求め、最高の広報商品景品抽選点数を得た購入者に補償商品が支給される。
【０１２２】
次に、購入者が得た広報商品景品抽選点数順に、購入者に広報商品景品を提供した後には、差し引いたポイントのうち一定部分を、購入者に所定当選確率のクーポンとして戻す。
【０１２３】
すなわち、［景品及びポイント再分配商品補償テーブル］から、期待値及び発給コストを抽出した後、抽出した期待値及び発給コストを利用して、各購入者別に、ポイント再分配のための確率を求め、その確率に該当するクーポンを発給して抽選し、当たりのとき、期待値に該当するポイントを付与する。
【０１２４】
かような本発明の実施形態に係わるサービスプラットフォーム及びサービス提供方法によって、購入者の知人に商品を広報し、広報履歴による景品抽選点数を積み立て、サービス商品を勧めるシステムを提供することにより、販売者に、低廉であって迅速な製品広報効果を提供し、ブランド認知度を高めることができるツールの必要性充足させるという効果を得ることができる。さらには、販売者側から提供するサービス商品を獲得することができるツールを提供し、購入者に手軽な製品アクセスを提供し、販売者には、サービス広告利用コストを節減する効果を期待することができる。
【０１２５】
このように、本発明は、図面に図示された一実施形態を参照して説明したが、それらは例示的なことに過ぎず、当該分野において当業者であるならば、それらから多様な変形、及び実施形態の変形が可能であるという点を理解するであろう。従って、本発明の真の技術的保護範囲は、特許請求の範囲の技術的思想によって定められるものである。
【産業上の利用可能性】
【０１２６】
本発明の実施形態は、販売実績によってサービス商品を提供するショッピングモールシステムと、商品広報によって広報景品商品を提供する商品広報システムとを具備するサービスプラットフォーム及びサービス提供方法に利用される。
【図１】
2017502428.tif 000021
【図２】
2017502428.tif 000022
【図３】
2017502428.tif 000023
【図４】
2017502428.tif 000024
【図５】
2017502428.tif 000025
【図６】
2017502428.tif 000026
【図７】
2017502428.tif 000027
【図８】
2017502428.tif 000028
【図９】
2017502428.tif 000029
【国際調査報告】
2017502428.tif 000030
2017502428.tif 000031
2017502428.tif 000032
2017502428.tif 000033